(57)【要約】      （修正有）【課題】絶縁性基体外側面の温度補償データ書き込み用の書き込み制御端子部分の基板強度を向上し、基板クラック発生を抑制した水晶発振器及びその製造方法を提供する。【解決手段】絶縁性基体表主面の第１の空間部を囲う凹形状容器内の絶縁性基体の表主面上には発振回路が組み込まれた集積回路素子が搭載され、絶縁性基体の第１の空間部上面に形成された第２の空間部を囲う凹形状の容器内には集積回路素子に接続電極部を通じて電気的に接続される水晶振動素子が収容され、第１の空間部を囲う容器と第２の空間部を囲う容器は接続電極部を介して接合され、第２の空間部を囲う容器開口上縁部に蓋体が載置され気密封止される水晶発振器において、第１の空間部を囲う凹形状容器の外側面に、絶縁性基体に形成された孔が分断されて出来る複数の溝に金属が充填され形成された書き込み制御端子を有す水晶発振器及びその製法で課題を解決する。【選択図】図２
2008092224.tif 000002
【特許請求の範囲】
【請求項１】
絶縁性基体の表主面に設けられた第１の空間部を囲う凹形状をした容器内の該絶縁性基体の表主面上には発振回路が組み込まれた集積回路素子が搭載されており、該絶縁性基体の該第１の空間部上面に形成された第２の空間部を囲う同じく凹形状の容器内には該集積回路素子に接続電極部を通じて電気的に接続される水晶振動素子が収容されており、該第１の空間部を囲う該容器と該第２の空間部を囲う該容器は該接続電極部を介して接合されており、該第２の空間部を囲う該容器の開口上縁部に蓋体が載置され気密封止される水晶発振器において、
該第１の空間部を囲う該凹形状容器の外側面には、該絶縁性基体に形成された孔が分断されて出来た複数の溝に、金属が充填されて形成された書き込み制御端子を有することを特徴とする水晶発振器。
【請求項２】
該溝に充填される該金属が銅（Ｃｕ）や金（Ａｕ）など延性を有する金属であることを特徴とする請求項１に記載の水晶発振器。
【請求項３】
該溝に金属が充填されて形成された書き込み制御端子面積が、該
溝面積より大きいことを特徴とする請求項１に記載の水晶発振器。
【請求項４】
絶縁性基体の表主面に設けられた第１の空間部を囲う凹形状をした容器内の該絶縁性基体の表主面上に発振回路が組み込まれた集積回路素子が搭載され、該絶縁性基体の該第１の空間部上面に形成された第２の空間部を囲う同じく凹形状の容器内に該集積回路素子に接続電極部を通じて電気的に接続される水晶振動素子が収容され、該第１の空間部を囲う該容器と該第２の空間部を囲う該容器は該接続電極部を介して接合され、該第２の空間部を囲う該容器の開口上縁部に蓋体が載置されて気密封止される水晶発振器
の製造方法において、
該第１の空間部を囲う容器を複数個連続してマトリクス状に有するシート状の該絶縁性基体の、該第１の空間部を囲う容器が隣接する部分に形成された複数の孔に金属を充填し、個々に形成された水晶発振器がつなげられた該絶縁性基体の該金属が充填された該孔の部分を分断して個割りして形成された該水晶発振器の書き込み制御端子に、該水晶振動素子の温度特性に応じて作成された温度補償データを書き込む水晶発振器の製造方法。
【請求項５】
形成された該書き込み制御端子の面積が、分断された該孔の部分の切断面積よりも、該絶縁性基体が個割りの際に切断される方向に沿って大きくなる請求項４に記載の水晶発振器の製造方法。
【発明の詳細な説明】
【技術分野】
【０００１】
本発明は、携帯用通信機器等の電子機器に用いられる水晶発振器、及びその製造方法に関するものである。
【背景技術】
【０００２】
従来から携帯用通信機器等の電子機器に水晶発振器が用いられている。
【０００３】
かかる従来の水晶発振器としては、例えば図４に示す如く、内部に図中には示されていないが、第２の空間部に水晶振動素子が収容されている水晶振動子２３を、第１の空間部２５内に前記の水晶振動素子の振動に基づいて発振出力を制御する集積回路素子２６が収容されている絶縁性基体２１上に取着させた構造のものが知られており、かかる水晶発振器は、マザーボード等の実装回路基板上に載置された上、絶縁性基体２１の下面に設けられている外部端子が実装回路基板の配線に半田接合されることにより実装回路基板上に実装される。
【０００４】
なお、水晶振動子２３や絶縁性基体２１は、通常、セラミック材料によって形成されており、その内部や表面には配線導体が形成され、従来周知のセラミックグリーンシート積層法等を採用することにより製作される。
【０００５】
また、前記集積回路素子２６の内部には、水晶振動素子の温度特性に応じて作成された温度補償データに基づき水晶発振器の発振周波数を補正するための温度補償回路が設けられており、水晶発振器を組み立てた後、上述の温度補償データを集積回路素子２６のメモリ内に格納すべく、絶縁性基体２１の下面や外側面等には温度補償データ書き込み用の書き込み制御端子２７が設けられている。この書き込み制御端子２７に温度補償データ書き込み装置のプローブ針を当てて集積回路素子２６内のメモリに温度補償データを入力することにより、温度補償データが集積回路素子２６のメモリ内に格納される。
【０００６】
【特許文献１】特開２００４−３１２２８４公報
【０００７】
なお、出願人は前記した先行技術文献情報で特定される先行技術文献以外には、本発明に関連する先行技術文献を、本件出願時までに発見するに至らなかった。
【発明の開示】
【発明が解決しようとする課題】
【０００８】
しかしながら、上述した従来の水晶発振器においては絶縁性基体２１の外側面に形成された温度補償データ書き込み用の書き込み制御端子に温度補償データ書き込み装置のプローブ針を当てるための凹部が形成されていた為に、書き込み制御端子部分の基板厚みが薄くなり、この部分から基板クラックが発生するおそれがあるといった欠点を有していた。
【０００９】
本発明は上記欠点に鑑み考え出されたものであり、従ってその目的は、絶縁性基体の外側面に形成された温度補償データ書き込み用の書き込み制御端子部分の基板強度を向上し、基板クラックの発生を防止できる水晶発振器、及びその製造方法を提供することにある。
【課題を解決するための手段】
【００１０】
本発明の水晶発振器は、絶縁性基体の表主面に設けられた第１の空間部を囲う凹形状をした容器内の絶縁性基体の表主面上には発振回路が組み込まれた集積回路素子が搭載されており、絶縁性基体の第１の空間部上面に形成された第２の空間部を囲う同じく凹形状の容器内には集積回路素子に接続電極部を通じて電気的に接続される水晶振動素子が収容されており、先の第１の空間部を囲う容器と第２の空間部を囲う容器は接続電極部を介して接合されており、第２の空間部を囲う容器の開口上縁部に蓋体が載置され気密封止される水晶発振器において、第１の空間部を囲う凹形状容器の外側面には、絶縁性基体
に形成された孔が分断されて出来た複数の溝に、金属が充填されて形成された書き込み制御端子を有することを特徴とする。
【００１１】
また、本発明の水晶発振器は上記構成において、溝に充填される金属が銅（Ｃｕ）や金（Ａｕ）など延性を有する金属であることを特徴とする。
【００１２】
また、本発明の水晶発振器は上記構成において、溝に金属が充填されて形成された書き込み制御端子面積が、溝面積より大きいことを特徴とする。
【００１３】
また、本発明の水晶発振器の製造方法は、絶縁性基体の表主面に設けられた第１の空間部を囲う凹形状をした容器内の絶縁性基体の表主面上に発振回路が組み込まれた集積回路素子が搭載され、絶縁性基体の第１の空間部上面に形成された第２の空間部を囲う同じく凹形状の容器内に集積回路素子に接続電極部を通じて電気的に接続される水晶振動素子が収容され、第１の空間部を囲う容器と第２の空間部を囲う容器は接続電極部を介して接合され、第２の空間部を囲う容器の開口上縁部に蓋体が載置されて気密封止される水晶発振器
の製造方法において、第１の空間部を囲う容器を複数個連続してマトリクス状に有するシート状の絶縁性基体の、第１の空間部を囲う容器が隣接する部分に形成された複数の孔に金属を充填し、個々に形成された水晶発振器がつなげられた絶縁性基体の該金属が充填された孔の部分を分断して個割りして形成された水晶発振器の書き込み制御端子に、水晶振動素子の温度特性に応じて作成された温度補償データを書き込むことを特徴とする。
【００１４】
また、本発明の水晶発振器の製造方法は形成された書き込み制御端子の面積が、分断された孔の部分の切断面積よりも、絶縁性基体が個割りの際に切断される方向に沿って大きくなることを特徴とする。
【発明の効果】
【００１５】
本発明の水晶発振器によれば、第１の空間部を囲う凹形状容器の外側面には、絶縁性基体に形成された孔に延性を有する金属が充填され分断されて出来た複数の溝から形成された書き込み制御端子を有することから、前記複数の孔が充填された金属で補強されることになる為に、切断される孔部から基板クラックが入ることがなく、また、絶縁性基板の強度の向上も可能となる効果を奏する。
【発明を実施するための最良の形態】
【００１６】
以下、本発明を添付図面に基づいて詳細に説明する。なお、各図においての同一の符号は同じ対象を示すものとする。
【００１７】
図１は本発明の水晶発振器の図２に示すＸ−Ｘ’線断面図であり、図２は絶縁性のセラミック集合基板３０から切断された１個の基板領域を示した第１の空間部１５を有する絶縁性基体１０の上面図である。また、図３は本発明の実施形態にかかる絶縁性のセラミック集合基板３０から切断する前の絶縁性基体の上面図である。図１に示す水晶発振器は、集積回路素子７を収容する第１の空間部１５を有する絶縁性基体１０の下面に電極端子１９が設けられ、集積回路素子７を収容する第１の空間部１５を有する絶縁性基体１０の上面には集積回路素子７が搭載されている。また、集積回路素子７を収容する第１の空間部１５を有する絶縁性基体１０の第１の空間部１５を囲う側面には壁体１３、壁体１３の外側面には複数個の書き込み制御端子１１が形成されている。また、図１に示すように壁体１３の上面には、水晶振動素子５が収容されている水晶振動子１を載置して固定した構造を有している。ここで本発明の水晶発振器において、壁体１３の外側面には複数個の書き込み制御端子１１が形成され、この書き込み制御端子１１を形成する溝１４に延性を有する金属が充填されている。
【００１８】
図１において水晶振動子１は、例えば、ガラス−セラミック、アルミナセラミックス等のセラミック材料から成る基板２と、基板２と同様のセラミック材料から成る側壁３、４２アロイやコバール，リン青銅等の金属から成る蓋体４とから成り、前記基板２の上面に側壁３を取着させ、その上面に蓋体４を載置して固定させることによって水晶振動子１が構成され、側壁３の内側に位置する基板２の上面に水晶振動素子５が実装されている。
【００１９】
水晶振動子１は、その内部に、具体的には基板２の上面と側壁３の内面と蓋体４の下面とで囲まれる第２の空間部６内に水晶振動素子５を収容して蓋体４が載置されて気密封止されており、基板２の上面には水晶振動素子５の振動電極に接続される一対の搭載パッド等が、基板２の下面には後述する絶縁性基体１０上の壁体１３に接続される複数個の第２の接続電極部１７がそれぞれ設けられ、これらのパッドや端子は基板２表面の配線パターンや基板２内部に埋設されているビアホール等を介して、対応するもの同士、相互に電気的に接続されている。
【００２０】
一方、水晶振動子１の内部に収容される水晶振動素子５は、所定の結晶軸でカットされた水晶素板の両主面に一対の振動電極が被着・形成されて成り、外部からの変動電圧が一対の振動電極を介して水晶素板に印加されると、所定の周波数で厚みすべり振動を起こす。
【００２１】
ここで水晶振動子１の蓋体４を水晶振動子１の第２の接続電極部１７や絶縁性基体１０の第１の接続電極部１８を介して後述するグランド端子用の電極端子１９に接続させておけば、その使用時に、金属から成る蓋体４が基準電位に接続されてシールド機能が付与されることと成るため、水晶振動素子５や集積回路素子７を外部からの不要な電気的作用から良好に保護することができる。従って、水晶振動子１の蓋体４は水晶振動子１の第２の接続電極部１７や絶縁性基体１０の第１の接続電極部１８を介してグランド端子用の電極端子１９に接続させておくことが好ましい。
【００２２】
そして、上述した水晶振動子１が取着される集積回路素子７を収容する第１の空間部１５を有する絶縁性基体１０は略矩形状を成しており、ガラス布基材エポキシ樹脂やポリカーボネイト，エポキシ樹脂，ポリイミド樹脂等の樹脂材料やガラス−セラミック，アルミナセラミックス等のセラミック材料等によって平板状を成すように形成されている。
【００２３】
集積回路素子７を収容する第１の空間部１５を有する絶縁性基体１０は、絶縁性基体１０の下面の四隅部に４つの電極端子１９（それぞれ電源電圧端子、グランド端子、発振出力端子、発振制御端子）が形成され、上面の四隅部を囲む周縁には壁体１３が、また上面の中央域にはフリップチップ型の集積回路素子７が、更に四隅部間の壁体１３の外側側面には書き込み制御端子１１が設けられている。
【００２４】
集積回路素子７を収容する第１の空間部１５を有する絶縁性基体１０の下面に設けられている４つの電極端子１９は、水晶発振器をマザーボード等の実装回路基板に接続するための端子として機能するものであり、水晶発振器を実装回路基板上に搭載する際、実装回路基板の回路配線と半田等の導電性接合材を介して電気的に接続される。
【００２５】
また、集積回路素子７を収容する第１の空間部１５を有する絶縁性基体１０の上面に設けられる壁体１３で、集積回路素子７を収容する第１の空間部１５を有する絶縁性基体１０と水晶振動子１との間に、集積回路素子７を配置させるのに必要な所定の間隔を確保しつつ、集積回路素子７を収容する第１の空間部１５を有する絶縁性基体１０の第１の接続電極部１８を水晶振動子１の第２の接続電極部１７に導電性接合材１２を介して接続する。
【００２６】
更に、上述した集積回路素子７を収容する第１の空間部１５を有する絶縁性基体１０の中央域には、複数個の電極パッドが設けられており、これら電極パッドに集積回路素子７の接続パッドをＡｕバンプや半田、または異方性導電接着材等の導電性接合材８を介して電気的、及び機械的に接続させることによって集積回路素子７が第１の空間部１５を有する絶縁性基体１０上の所定位置に取着される。
【００２７】
集積回路素子７は、その回路形成面（下面）に、周囲の温度状態を検知するサーミスタといった感温素子、水晶振動素子５の温度特性を補償する温度補償データを格納するメモリ、メモリ内の温度補償データに基づいて水晶振動素子５の振動特性を温度変化に応じて補正する温度補償回路、先の温度補償回路に接続されて所定の発振出力を生成する発振回路等が設けられており、この発振回路で生成された発振出力は、外部に出力された後、例えば、クロック信号等の基準信号として利用される。
【００２８】
なお、本発明の水晶発振器の製造方法は以下の順序で製造される。セラミック集合基板３０には、マトリクス状に配列された個々の水晶発振器の間に図３に図示するように所定の捨代領域Ｂが設けられている。この捨代領域Ｂには各水晶発振器の長辺側にそれぞれ２個の書き込み制御端子１１が絶縁性基体１０を跨ぐように形成されている。
【００２９】
まず、図３に示すセラミック集合基板３０の第１の空間部１５上に導電性接合材８を介して集積回路素子７を電気的・機械的に接続する。また、その後に水晶振動子１は水晶振動子１の下面の第２の接続電極部１７とセラミック集合基板３０上面の第１の接続電極部１８とを導電性接合材１２を介して電気的・機械的に接続することによってセラミック集合基板３０上に搭載される。ここで上述の集積回路素子７と水晶振動子１のセラミック集合基板３０上への電気的・機械的な接続はリフロー炉（加熱炉）を通過させることによる加熱冷却固化により同時に一括して行うことができる。
【００３０】
最後に、セラミック集合基板３０を各絶縁性基体１０の外周に沿って一括的に分割・切断（ダイシング）し、これによって複数個の水晶発振器が同時に製作される。  また、セラミック集合基板３０の切断（ダイシング）は、例えば、ダイサー等を用いて、これらの部材を一括的に切断（ダイシング）することによって行われ、これによって複数個の水晶発振器が同時に得られる。
また、図２、図３に示す矢印の方向に切断することで図２に示すような書き込み制御端子１１が形成される。ここで溝１４に充填する金属として、延性を有する銅または金を用いることで、図２のように絶縁性基体に形成された孔が分断されて出来た複数の溝１４の面積よりも、先述の金属が分断される際に切断方向に沿って延ばされて出来る書き込み制御端子１１の面積が大きいものとされる。
【００３１】
ここで、本発明の特徴部分は図１〜図３に示すように、絶縁性基体１０の表主面に設けられた第１の空間部１５を囲う凹形状をした容器内の絶縁性基体１０の表主面上には発振回路が組み込まれた集積回路素子７が搭載されており、絶縁性基体１０の第１の空間部１５上面に形成された第２の空間部６を囲う同じく凹形状の容器内には集積回路素子７に各々第１，第２の接続電極部１７，１８を通じ電気的に接続される水晶振動素子５が収容されており、第１の空間部１５を囲う容器と該第２の空間部６を囲う容器は各々第１，第２の接続電極部１７，１８を介して接合されており、第２の空間部６を囲う容器の開口上縁部に蓋体４が載置され気密封止される水晶発振器において、第１の空間部１５を囲う凹形状容器の外側面には、絶縁性基体１０に形成された複数の
孔に金属が充填されて、分断されて形成された書き込み制御端子１１を有することから、書き込み制御端子１１部分の基板強度を向上し、基板クラックの発生を防止できる水晶発振器を得ることが可能となる。また、先の書き込み制御端子１１に用いる金属には銅（Ｃｕ）や金（Ａｕ）など延性を有する金属を用いるのが好ましい。この延性によって、個割り工程が成された後、書き込み制御端子１１の面積が広げられることが可能となる。書き込み制御端子１１の面積が広げられることにより書き込み制御端子１１への温度補償データの入力ミスを防止することも可能とすることが出来る。
【００３２】
なお、本発明は上述の実施形態に限定されるものではなく、本発明の要旨を逸脱しない範囲において種々の変更、改良等が可能である。
【００３３】
例えば、上述の実施形態においては、第１の空間部１５を囲う凹形状容器の外側面には、複数の絶縁性基体に形成された孔に金属が充填され、その孔が分断されて出来た 書き込み制御端子１１が設けられているが、 第２の空間部６を囲う凹形状容器の外側面に形成しても全く構わず、この場合も本発明の技術的範囲に含まれることは言うまでも無い。
【図面の簡単な説明】
【００３４】
【図１】本発明の実施形態にかかる水晶発振器を側面方向からみた概略の断面図である。
【図２】本発明の実施形態にかかる水晶発振器の第１の空間部を有する絶縁性基体の概略の上面図である。
【図３】本発明の実施形態にかかる絶縁性のセラミック集合基板から切断する前の絶縁性基体の上面図である。
【図４】従来の水晶発振器の概略の上面斜視図である。
【符号の説明】
【００３５】
１  ・・・水晶振動子
２  ・・・基板
３  ・・・側壁
４  ・・・蓋体
５  ・・・水晶振動素子
６  ・・・第２の空間部
７  ・・・集積回路素子
８  ・・・導電性接合材
１０・・・絶縁性基体
１１・・・書き込み制御端子
１２・・・導電性接合材
１３・・・壁体
１４・・・溝
１５・・・第１の空間部
１７・・・第２の接続電極部
１８・・・第１の接続電極部
１９・・・電極端子
２０・・・接地電極部
３０・・・セラミック集合基板
Ｂ・・・捨代領域
【図１】
2008092224.tif 000003
【図２】
2008092224.tif 000004
【図３】
2008092224.tif 000005
【図４】
2008092224.tif 000006